(57)【要約】【課題】自動清掃が可能なフィルター装置１を備えた空気調和機を提供することを目的とする。【解決手段】送風回路と前記送風回路の中にフィルター装置１を有する空気調和機であって、前記フィルター装置１には巻取り軸８と、前記巻取り軸８の間に亘って張設されたエアフィルター４と、前記巻取り軸８を駆動する駆動モーター７と、前記エアフィルター４の風上側には水平方向に長手方向を持ち前記エアフィルター４に付着した塵埃を吸込む吸入ノズル３を設け、前記吸入ノズル３内には前記吸引ノズル３の長手方向に巻回され駆動するフィルムと、前記フィルムには前記エアフィルター４の塵埃を掻き取るパットを設け、前記掻き取りパットで掻き取った塵埃を吸込む箱型の凸形状をした吸引口を具備したことを特徴とする空気調和機。【選択図】図１
2008256295.tif 000002
【特許請求の範囲】
【請求項１】
送風回路と前記送風回路の中にフィルター装置を有する空気調和機であって、前記フィルター装置には複数の巻取り軸と、前記複数の巻取り軸の間に亘って張設されたエアフィルターと、前記巻取り軸を駆動する駆動モーターと、前記エアフィルターの風上側には水平方向に長手方向を持ち前記エアフィルターに付着した塵埃を吸込む吸入ノズルを設け、前記吸入ノズル内には前記吸入ノズルの長手方向に巻回され駆動するフィルムと、前記フィルムには前記エアフィルターの塵埃を掻き取るパットと、前記掻き取りパットで掻き取った塵埃を吸込む箱型の凸形状をした吸引口とを具備したことを特徴とする空気調和機。
【請求項２】
箱型の形状をした吸引口はフィルター側に向かって広げた形状を持つことを特徴とする請求項１に記載の空気調和機。
【発明の詳細な説明】
【技術分野】
【０００１】
本発明は、エアフィルターの清掃を自動的に行うようにした空気調和機に関するものである。
【背景技術】
【０００２】
従来、空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが除々に目詰まりしていき、その結果、熱交換器を通過する風量が低下し、空調能力が低下して消費電力の増大につながることとなる。
【０００３】
このため、エアフィルターのメンテナンスの手間を低減する目的でエアフィルターに付着した塵埃を吸入する左右に移動可能な吸入ノズルを設け、前記吸入ノズルをＬ型にしてエアフィルターに接面させ、吸入ノズルの接面部に吸引口を設け、定期的に清掃する自動清掃装置が考案されている（例えば、特許文献１参照）。
【特許文献１】特開２００４−２８３７０４号公報
【発明の開示】
【発明が解決しようとする課題】
【０００４】
しかしながら、前記従来の構成ではエアフィルターの前面にＬ型の吸入ノズルを左右に駆動する構成のため構造が複雑になり、また吸入ノズルの寸法が長いために、塵埃の吸込み口から塵埃を吸引し排出する吸排気装置までの距離が長く且つ曲折したものとなり圧力損失が大きく、吸排気装置の大型化やコストの増大という課題があった。
【課題を解決するための手段】
【０００５】
前記従来の課題を解決するために本発明は、送風回路と前記送風回路の中にフィルター装置を有する空気調和機であって、前記フィルター装置には複数の巻取り軸と、前記複数の巻取り軸の間に亘って張設されたエアフィルターと、前記巻取り軸を駆動する駆動モーターと、前記エアフィルターの風上側には水平方向に長手方向を持ち前記エアフィルターに付着した塵埃を吸込む吸入ノズルを設け、前記吸入ノズル内には前記吸引ノズルの長手方向に巻回され駆動するフィルムと、前記フィルムには前記エアフィルターの塵埃を掻き取るパットと、前記掻き取りパットで掻き取った塵埃を吸込む箱型の凸形状をした吸引口とを具備した空気調和機である。
【発明の効果】
【０００６】
本発明のフィルター装置は、エアフィルターに付着した塵埃の自動清掃を簡素な構成で、且つ少ない吸い込み風量で可能にし、空気調和機の基本性能を損なうことなくフィルターの自動清掃を実現できるという効果を添する。
【発明を実施するための最良の形態】
【０００７】
第１の発明は、送風回路と前記送風回路の中にフィルター装置を有する空気調和機であって、前記フィルター装置には複数の巻取り軸と、前記複数の巻取り軸の間に亘って張設されたエアフィルターと、前記巻取り軸を駆動する駆動モーターと、前記エアフィルターの風上側には水平方向に長手方向を持ち前記エアフィルターに付着した塵埃を吸込む吸入ノズルを設け、前記吸入ノズル内には前記吸引ノズルの長手方向に巻回され駆動するフィルムと、前記フィルムには前記エアフィルターの塵埃を掻き取るパットと、前記掻き取り
パットで掻き取った塵埃を吸込む箱型の凸形状をした吸引口とを具備したもので、少ない吸い込み風量で塵埃を確実に吸い込む効果が得られる。さらに、空気調和機の基本性能を損なうことなくフィルターの自動清掃を実現できる効果が得られる。
【０００８】
第２の発明は、特に、第１の発明の箱型の形状をした吸引口はフィルター側に向かって広げた形状を持つもので、この構成をなすことにより、少ない吸い込み風量で塵埃を確実に吸い込む効果が得られる。さらに、空気調和機の基本性能を損なうことなくフィルターの自動清掃を実現できる効果が得られる。
【０００９】
以下、本発明の実施の形態について、図面を参照しながら説明する。なお、この実施の形態によって本発明が限定されるものではない。
【００１０】
（実施の形態１）
図１は、本発明の実施の形態１におけるフィルター装置の斜視図を示すものである。図２は本発明の実施の形態１におけるフィルター装置の吸入ノズルの外観図、図３は本発明の実施の形態１における図２の吸引口のＢ−Ｂ断面図と要部斜視図、図４は本発明の実施の形態１における室内機の正面図、図５は本発明の実施の形態１における空気調和機の断面図である。
【００１１】
まず、空気調和機本体１１の内部には、熱交換器９と送風機１０が配設されており、本体１１の前面から上面に渡り形成される複数の吸込口（図示せず）からは、送風機１０の動作により空気が吸込まれ、空気中に漂う塵埃は、前記吸引口と熱交換器９との間に設けたフィルター装置１で取り除かれる。
【００１２】
このフィルター装置１は、フィルター枠２と帯状のエアフィルター４と、エアフィルター４の風上側には水平方向に長手方向を持ちエアフィルターに付着した塵埃を吸い込む吸入ノズル３を設け、吸入ノズル３の端部には吸入ノズル３に吸込まれた塵埃を吸込み排出する吸引排気装置５を具備する。
【００１３】
吸入ノズル３には、吸入ノズル３の長手方向に巻き回されたフィルム３ｃを内蔵し、フィルム３ｃにはフィルムの駆動方向と略直角をなす方向に長辺を有する長方形の形状を有する箱型の凸形状をした吸引口３ａとフィルムの駆動方向と略直角をなす方向に長辺を有する長方形の形状を有する埃掻き取りパット３ｂを設け、左右方向に移動可能にしたものである。また、フィルター枠２の両端には、フィルター巻取駆動モーター７と、巻取り軸８を配設している。
【００１４】
このように構成されたフィルター装置１の動作について説明する。空気調和機１１の運転停止後に、吸引排気装置５が運転開始し、エアフィルター４の片側端に位置していた箱型の凸形状をした吸引口３ａ及び埃掻き取りパット３ｂが、フィルム駆動モーター６によって、図２に示すようにＡの矢印方向に移動し、エアフィルター４の前部表面に付着した塵埃を掻き取りながら箱型の凸形状をした吸引口３ａから吸取り、塵埃は吸引排気装置５に吸入される。そして、箱型の凸形状をした吸引口３ａが、対向する片側端まで移動したときにフィルム駆動モーター６を逆回転させれば、箱型の凸形状をした吸引口３ａは初期の位置に戻る。ここで、フィルター巻取駆動モーター７が駆動し、巻取り軸８によりエアフィルター４を巻き回し、埃の付着した部分を箱型の凸形状をした吸引口３ａに位置させ再びフィルム駆動モーター６により箱型の凸形状をした吸引口３ａ及び埃掻き取りパット３ｂが図２に示すようにＡの矢印方向に移動する。再び、箱型の凸形状をした吸引口３ａが、対向する片側端まで移動したときにフィルム駆動モーター６を逆回転させ、箱型の凸形状をした吸引口３ａは初期の位置に戻る。以上の動作を繰り返しエアフィルター４の全面を自動で清掃することが可能となる。
【００１５】
ここで、図３に示すように、箱型の凸形状をした吸引口３ａにすることにより、少ない吸い込み風量で塵埃を確実に吸い込む効果が得られる。さらに、空気調和機の基本性能を損なうことなくフィルターの自動清掃を実現できる効果が得られる。
【００１６】
さらに、箱型の凸形状をした吸引口３ａを、より多くの塵埃を吸引できるように箱型の凸形状をした吸引口３ａをフィルター側に向かって広がった形状を持つようにすることで、吸引口がエアフィルター４面に確実に当接され、少ない吸い込み風量で塵埃を確実に吸い込む効果が得られる。さらに、空気調和機の基本性能を損なうことなくフィルターの自動清掃を実現できる効果が得られる。
【産業上の利用可能性】
【００１７】
以上のように、本発明にかかる空気調和機は、簡素な構成でかつ少ない吸込み風量により、エアフィルターに付着した塵埃を自動で清掃することが可能となるので、空気清浄機などの塵埃を集塵するエアフィルターを装着した機器等の用途にも適用できる。
【図面の簡単な説明】
【００１８】
【図１】本発明の一実施例を示すフィルター装置の斜視図
【図２】本発明の一実施例を示すフィルター装置の吸入ノズルの外観図
【図３】本発明の実施の形態１における図２の吸引口のＢ−Ｂ断面図と要部斜視図
【図４】本発明の一実施例を示す空気調和機の正面図
【図５】本発明の一実施例を示す図３のＩ−Ｉによる空気調和機の断面図
【符号の説明】
【００１９】
１  フィルター装置
２  フィルター枠
３  吸入ノズル
４  エアフィルター
５  吸引排気装置
６  フィルム駆動モーター
７  フィルター巻取駆動モーター（駆動モーター）
８  巻取り軸
【図１】
2008256295.tif 000003
【図２】
2008256295.tif 000004
【図３】
2008256295.tif 000005
【図４】
2008256295.tif 000006
【図５】
2008256295.tif 000007